(57)【要約】  エレベータの制御装置は、かご内照明装置からかご内に照射される照明光の照度であるかご内照度を確認するためのかご内照度情報を取得するかご内センサと、乗場照明装置から乗場に照射される照明光の照度である乗場照度を確認するための乗場照度情報を取得する乗場センサと、かご内センサからかご内照度情報を取得し、乗場センサから乗場照度情報を取得し、取得したかご内照度情報および乗場照度情報に基づいて、かご内照度および乗場照度を確認し、かご内照度と乗場照度とが同じになるようにかご内照明装置または乗場照明装置を調光する照明調整処理を行う照明制御部と、を備えて構成されている。
2019159275.tif 000002
【特許請求の範囲】
【請求項１】
かご内照明装置からかご内に照射される照明光の照度であるかご内照度を確認するためのかご内照度情報を取得するかご内センサと、
乗場照明装置から乗場に照射される照明光の照度である乗場照度を確認するための乗場照度情報を取得する乗場センサと、
前記かご内センサから前記かご内照度情報を取得し、前記乗場センサから前記乗場照度情報を取得し、取得した前記かご内照度情報および前記乗場照度情報に基づいて、前記かご内照度および前記乗場照度を確認し、前記かご内照度と前記乗場照度とが同じになるように前記かご内照明装置または前記乗場照明装置を調光する照明調整処理を行う照明制御部と、
を備えたエレベータの制御装置。
【請求項２】
前記照明制御部は、前記照明調整処理において、前記かご内照明装置を調光する
請求項１に記載のエレベータの制御装置。
【請求項３】
前記かご内センサは、前記かご内照明装置から前記かご内に照射される前記照明光の色度であるかご内色度を確認するためのかご内色度情報をさらに取得し、
前記乗場センサは、前記乗場照明装置から前記乗場に照射される前記照明光の色度である乗場色度を確認するための乗場色度情報をさらに取得し、
前記照明制御部は、前記照明調整処理において、さらに、
前記かご内センサから前記かご内色度情報を取得し、前記乗場センサから前記乗場色度情報を取得し、取得した前記かご内色度情報および前記乗場色度情報に基づいて、前記かご内色度および前記乗場色度を確認し、前記かご内色度と前記乗場色度とが同じになるように前記かご内照明装置を調色する
請求項２に記載のエレベータの制御装置。
【請求項４】
前記乗場照明装置は、乗場照明制御装置によって制御され、
前記照明制御部は、前記照明調整処理において、前記乗場照明制御装置を制御することで前記乗場照明装置を調光する
請求項１に記載のエレベータの制御装置。
【請求項５】
前記照明制御部は、前記エレベータが利用状態であることを条件として、前記照明調整処理を行う
請求項１から４のいずれか１項に記載のエレベータの制御装置。
【発明の詳細な説明】
【技術分野】
【０００１】
本発明は、かご内に照射される照明光の照度と、乗場に照射される照明光の照度とが同じになるように制御するエレベータの制御装置に関する。
【背景技術】
【０００２】
従来において、エレベータのかご内に設けられる照明装置を制御する技術として、様々な制御が知られている。一例として、一定時間の間、エレベータが利用されていない場合、かご内の照明装置を消灯させる制御が知られている（例えば、特許文献１参照）。別例として、エレベータの運転状況に応じて、かご内の照明装置から照射される照射光の照度を調整する制御が知られている（例えば、特許文献２参照）。
【先行技術文献】
【特許文献】
【０００３】
【特許文献１】特開２０１３−４９５５２号公報
【特許文献２】実開平２−９１７６２号公報
【発明の概要】
【発明が解決しようとする課題】
【０００４】
ここで、上述した従来の制御では、エレベータのかご内に設けられる照明装置から照射される照明光の照度と、エレベータの乗場に設けられる照明装置から照射される照射光の照度との関係について考慮していない。したがって、かご内に照射される照明光の照度と、乗場に照射される照明光の照度とが異なっていれば、グレアが発生する可能性がある。このようなグレアが発生すると、乗客は、かごの乗り降りの際、すなわち、乗場からかごに乗ったり、かごから乗場に降りたりする際、不快に感じる可能性がある。【０００５】
本発明は、上記のような課題を解決するためになされたものであり、乗客がかごを乗り降りする際の乗客の快適性の向上を図ることのできるエレベータの制御装置を得ることを目的とする。
【課題を解決するための手段】
【０００６】
本発明におけるエレベータの制御装置は、かご内照明装置からかご内に照射される照明光の照度であるかご内照度を確認するためのかご内照度情報を取得するかご内センサと、乗場照明装置から乗場に照射される照明光の照度である乗場照度を確認するための乗場照度情報を取得する乗場センサと、かご内センサからかご内照度情報を取得し、乗場センサから乗場照度情報を取得し、取得したかご内照度情報および乗場照度情報に基づいて、かご内照度および乗場照度を確認し、かご内照度と乗場照度とが同じになるようにかご内照明装置または乗場照明装置を調光する照明調整処理を行う照明制御部と、を備えたものである。
【発明の効果】
【０００７】
本発明によれば、乗客がかごを乗り降りする際の乗客の快適性の向上を図ることのできるエレベータの制御装置を得ることができる。
【図面の簡単な説明】
【０００８】
【図１】本発明の実施の形態１におけるエレベータのかご内を示す概略図である。
【図２】本発明の実施の形態１におけるエレベータの乗場を示す概略図である。
【図３】本発明の実施の形態１におけるエレベータの制御装置を示すブロック図である。
【図４】本発明の実施の形態１における照明制御部によって実行される一連の照明調整処理を示すフローチャートである。
【図５】本発明の実施の形態２におけるエレベータの制御装置を示すブロック図である。
【図６】本発明の実施の形態２における照明制御部によって実行される一連の照明調整処理を示すフローチャートである。
【発明を実施するための形態】
【０００９】
以下、本発明によるエレベータの制御装置を、好適な実施の形態にしたがって図面を用いて説明する。なお、図面の説明においては、同一部分または相当部分には同一符号を付し、重複する説明を省略する。
【００１０】
実施の形態１．
図１は、本発明の実施の形態１におけるエレベータのかご１内を示す概略図である。図１において、かご１内には、かご内照明装置２と、かご内センサ３とが設けられている。かご内照明装置２は、例えば、かご１の天井４に設けられ、かご内センサ３は、例えば、かご１のかご壁５に設けられている。
【００１１】
かご内照明装置２は、かご１内に照明光を照射する。かご内照明装置２は、後述する照明制御部１２によって制御される。また、かご内照明装置２は、照明制御部１２による照明調整処理に従って調光および調色可能に構成されている。なお、かご内照明装置２としては、例えば、ＬＥＤ（Ｌｉｇｈｔ  Ｅｍｉｔｔｉｎｇ  Ｄｉｏｄｅ）照明、または有機ＬＥＤ照明を用いればよい。
【００１２】
かご内センサ３は、かご１内に照射される照明光の照度であるかご内照度を確認するためのかご内照度情報を取得する。なお、かご内センサ３としては、例えば、かご１内に照射される照射光の照度を検出する照度センサ、またはかご１内を撮像するカメラを用いればよい。
【００１３】
かご内センサ３が照度センサを用いて構成される場合、この照度センサの検出結果がかご内照度情報となる。かご内センサ３がカメラを用いて構成される場合、このカメラの撮像結果がかご内照度情報となる。
【００１４】
図２は、本発明の実施の形態１におけるエレベータの乗場６を示す概略図である。図２において、乗場６には、乗場照明装置（図示せず）と、乗場操作盤７と、乗場戸８と、乗場センサ９とが設けられている。乗場センサ９は、例えば、乗場操作盤７に設けられている。
【００１５】
乗場照明装置は、乗場６に照明光を照射する。乗場照明装置は、エレベータが設置される建物内の照明を統括管理する照明管理システムの乗場照明制御装置（図示せず）によって制御される。また、乗場照明装置は、乗場照明制御装置による制御に従って調光および調色可能に構成されている。なお、乗場照明装置としては、例えば、ＬＥＤ照明、または有機ＬＥＤ照明を用いればよい。
【００１６】
乗場操作盤７には、操作釦１０と、表示部１１とが設けられている。操作釦１０は、上階または下階に移動するかご１を乗場６に呼ぶための呼び釦であり、乗客によって操作される。乗客が操作釦１０を操作することで、かご１が乗場６に到着する。表示部１１は、かご１の位置、移動方向等のかご１に関する情報を表示する。
【００１７】
乗場センサ９は、乗場照明装置から乗場６に照射される照明光の照度である乗場照度を確認するための乗場照度情報を取得する。なお、乗場センサ９としては、例えば、乗場６に照射される照射光の照度を検出する照度センサ、または乗場６を撮像するカメラを用いればよい。
【００１８】
乗場センサ９が照度センサを用いて構成される場合、この照度センサの検出結果が乗場照度情報となる。乗場センサ９がカメラを用いて構成される場合、このカメラの撮像結果が乗場照度情報となる。
【００１９】
次に、制御装置１３について、図３を参照しながら説明する。図３は、本発明の実施の形態１におけるエレベータの制御装置１３を示すブロック図である。
【００２０】
図３において、制御装置１３は、かご内センサ３、乗場センサ９および照明制御部１２を備える。照明制御部１２は、演算処理を実行するマイクロコンピュータと、プログラムデータ、固定値データ等のデータを記憶するＲＯＭ（Ｒｅａｄ  Ｏｎｌｙ  Ｍｅｍｏｒｙ）と、格納されているデータを更新して順次書き換えられるＲＡＭ（Ｒａｎｄｏｍ  Ａｃｃｅｓｓ  Ｍｅｍｏｒｙ）等によって実現される。
【００２１】
照明制御部１２は、照明調整処理において、かご内センサ３からかご内照度情報を取得し、乗場センサ９から乗場照度情報を取得し、取得したかご内照度情報および乗場照度情報に基づいて、かご内照度および乗場照度を確認する。
【００２２】
具体的には、一例として、かご内センサ３および乗場センサ９がそれぞれ照度センサを用いて構成される場合、照明制御部１２は、次のように、かご内照度および乗場照度を確認する。照明制御部１２は、かご内センサ３からかご内照度情報として取得した照度センサの検出結果をかご内照度とする。また、照明制御部１２は、乗場センサ９から乗場照度情報として取得した照度センサの検出結果を乗場照度とする。
【００２３】
別例として、かご内センサ３および乗場センサ９がそれぞれカメラを用いて構成される場合、照明制御部１２は、次のように、かご内照度および乗場照度を確認する。照明制御部１２は、かご内センサ３からかご内照度情報として取得したカメラの撮像結果、すなわち、かご１内の映像に対して公知の画像解析を適用することで、かご内照度を確認する。また、照明制御部１２は、乗場センサ９から乗場照度情報として取得したカメラの撮像結果、すなわち、乗場６の映像に対して公知の画像解析を適用することで、乗場照度を確認する。
【００２４】
さらに、照明制御部１２は、照明調整処理において、確認したかご内照度と、確認した乗場照度との差の大きさである照度差が予め設定される照度差閾値以上である場合、かご内照度と、乗場照度とが同じになるように制御する。具体的には、照明制御部１２は、かご内照度と乗場照度とが同じになるように、かご内照明装置２を調光してかご内照度を調整する。なお、照度差閾値は、０以上であって、かつグレアの発生が抑制可能な上限値以下となるように設定される値である。
【００２５】
次に、照明制御部１２の一連の照明調整処理について、図４を参照しながら説明する。図４は、本発明の実施の形態１における照明制御部１２によって実行される一連の照明調整処理を示すフローチャートである。なお、照明制御部１２は、例えばエレベータが利用状態であることを条件として、図４に示す一連の照明調整処理を繰り返し実行する。
【００２６】
エレベータが利用状態であるか否かを照明制御部１２が判断する手法としては、公知の手法が適用されればよく、例えば、次のような手法が考えられる。すなわち、照明制御部１２は、乗場操作盤７の操作釦１０が操作されることで発生する乗場呼びと、かご１内の操作盤の行先階釦が操作されることで発生するかご呼びとの少なくとも一方が発生している場合には、エレベータが利用状態であると判断する。一方、照明制御部１２は、乗場呼びおよびかご呼びのいずれも発生していない場合には、エレベータが利用状態でないと判断する。
【００２７】
図４の説明に戻り、ステップＳ１０１において、照明制御部１２は、かご内センサ３からかご内照度情報を取得し、乗場センサ９から乗場照度情報を取得し、取得したかご内照度情報および乗場照度情報に基づいて、かご内照度および乗場照度を確認する。ステップＳ１０１の実行後、処理がステップＳ１０２へと進む。
【００２８】
ステップＳ１０２において、照明制御部１２は、ステップＳ１０１で確認したかご内照度および乗場照度から、照度差を演算し、演算した照度差が照度差閾値以上であるか否かを判断する。
【００２９】
ステップＳ１０２で照度差が照度差閾値以上であると判断された場合、処理がステップＳ１０３へと進む。一方、ステップＳ１０２で照度差が照度差閾値未満であると判断された場合、処理が終了となる。
【００３０】
ステップＳ１０３において、照明制御部１２は、かご内照明装置２を調光してかご内照度を調整することによって、かご内照度と乗場照度とが同じになるように調整する。ステップＳ１０３の実行後、処理が終了となる。
【００３１】
ステップＳ１０１〜ステップＳ１０３から分かるように、照明制御部１２は、照明調整処理において、かご内センサ３からかご内照度情報を取得し、乗場センサ９から乗場照度情報を取得し、取得したかご内照度情報および乗場照度情報に基づいて、かご内照度および乗場照度を確認するように構成されている。さらに、照明制御部１２は、照明調整処理において、かご内照度と乗場照度とが同じになるようにかご内照明装置２を調光するように構成されている。
【００３２】
このように照明制御部１２が構成されることで、かご内に照射される照射光の照度を乗場に照射される照射光の照度に近づけることができる。
【００３３】
なお、照明制御部１２は、上記の構成に対して、かご内照明装置２から照射される照明光の色度であるかご内色度と、乗場照明装置から照射される照明光の色度である乗場色度とを確認し、かご内色度と乗場色度とが同じになるようにかご内照明装置２を調色するようにさらに構成されていてもよい。
【００３４】
この場合、かご内センサ３は、かご内色度を確認するためのかご内色度情報をさらに取得し、乗場センサ９は、乗場色度を確認するための乗場色度情報をさらに取得するように構成される。また、照明制御部１２は、照明調整処理において、さらに、かご内センサ３からかご内色度情報を取得し、乗場センサ９から乗場色度情報を取得し、取得したかご内色度情報および乗場色度情報に基づいて、かご内色度および乗場色度を確認するように構成される。
【００３５】
例えば、かご内センサ３および乗場センサ９がそれぞれカメラを用いて構成される場合、照明制御部１２は、次のように、かご内色度および乗場色度を確認する。照明制御部１２は、かご内センサ３からかご内色度情報として取得したカメラの撮像結果、すなわち、かご１内の映像に対して公知の画像解析を適用することで、かご内色度を確認する。また、照明制御部１２は、乗場センサ９から乗場色度情報として取得したカメラの撮像結果、すなわち、乗場６の映像に対して公知の画像解析を適用することで、乗場色度を確認する。
【００３６】
なお、かご内センサ３および乗場センサ９は、それぞれ、照射光の色度を検出する色度センサを用いて構成されていてもよい。この場合、照明制御部１２は、これらの色度センサの検出結果を用いて、かご内色度および乗場色度を確認するように構成される。
【００３７】
以上、本実施の形態１によれば、エレベータの制御装置は、かご内照度情報および乗場照度情報を取得し、取得したかご内照度情報および乗場照度情報に基づいて、かご内照度および乗場照度を確認し、かご内照度と乗場照度とが同じになるようにかご内照明装置を調光する照明調整処理を行うように構成されている。
【００３８】
これにより、かご内に照射される照射光の照度を乗場に照射される照射光の照度に近づけることができるので、グレアの発生を抑制することができる。その結果、乗客がかごを乗り降りする際の乗客の快適性の向上を図ることができる。
【００３９】
また、エレベータの制御装置は、上記の構成に対して、照明調整処理において、かご内センサからかご内色度情報を取得し、乗場センサから乗場色度情報を取得するようにさらに構成されている。また、エレベータの制御装置は、上記の構成に対して、取得したかご内色度情報および乗場色度情報に基づいて、かご内色度および乗場色度をさらに確認し、かご内色度と乗場色度とが同じになるようにかご内照明装置を調色するようにさらに構成されている。
【００４０】
これにより、かご内に照射される照射光の色度を乗場に照射される照射光の色度に近づけることができるので、乗客の快適性をより向上させることに寄与する。
【００４１】
実施の形態２．
本発明の実施の形態２では、先の実施の形態１の構成に対して、照明調整処理において、かご内照明装置を調光する代わりに、乗場照明装置を調光するように構成された制御装置１３について説明する。なお、本実施の形態２では、先の実施の形態１と同様である点の説明を省略し、先の実施の形態１と異なる点を中心に説明する。
【００４２】
図５は、本発明の実施の形態２におけるエレベータの制御装置１３を示すブロック図である。なお、図５では、制御装置１３に加えて、先の実施の形態１で述べた乗場照明制御装置に相当する乗場照明制御装置１４と、先の実施の形態１で述べた乗場照明装置に相当する乗場照明装置１５とが併せて図示されている。
【００４３】
図５において、本実施の形態２における制御装置１３は、かご内センサ３、乗場センサ９および照明制御部１２を備える。
【００４４】
照明制御部１２は、照明調整処理において、かご内センサ３からかご内照度情報を取得し、乗場センサ９から乗場照度情報を取得し、取得したかご内照度情報および乗場照度情報に基づいて、かご内照度および乗場照度を確認する。
【００４５】
さらに、照明制御部１２は、照明調整処理において、確認したかご内照度と、確認した乗場照度との差の大きさである照度差が照度差閾値以上である場合、先の実施の形態１とは異なる手法によって、かご内照度と乗場照度とが同じになるように制御する。すなわち、照明制御部１２は、かご内照度と乗場照度とが同じになるように、乗場照明制御装置１４に対して乗場照明装置１５を調光して乗場照度を調整するように指令する。
【００４６】
このように、照明制御部１２は、乗場照明制御装置１４を制御することで、乗場照明装置１５を調光して乗場照度を調整するように構成されている。
【００４７】
次に、本実施の形態２における照明制御部１２の一連の照明調整処理について、図６を参照しながら説明する。図６は、本発明の実施の形態２における照明制御部１２によって実行される一連の照明調整処理を示すフローチャートである。なお、照明制御部１２は、例えばエレベータが利用状態であることを条件として、図６に示す一連の照明調整処理を繰り返し実行する。
【００４８】
ステップＳ２０１において、照明制御部１２は、かご内センサ３からかご内照度情報を取得し、乗場センサ９から乗場照度情報を取得し、取得したかご内照度情報および乗場照度情報に基づいて、かご内照度および乗場照度を確認する。ステップＳ２０１の実行後、処理がステップＳ２０２へと進む。
【００４９】
ステップＳ２０２において、照明制御部１２は、ステップＳ２０１で確認したかご内照度および乗場照度から、照度差を演算し、演算した照度差が照度差閾値以上であるか否かを判断する。
【００５０】
ステップＳ２０２で照度差が照度差閾値以上であると判断された場合、処理がステップＳ２０３へと進む。一方、ステップＳ２０２で照度差が照度差閾値未満であると判断された場合、処理が終了となる。
【００５１】
ステップＳ２０３において、照明制御部１２は、乗場照明制御装置１４を制御することで、乗場照明装置１５を調光して乗場照度を調整することによって、かご内照度と乗場照度とが同じになるように調整する。ステップＳ２０３の実行後、処理が終了となる。
【００５２】
ステップＳ２０１〜ステップＳ２０３から分かるように、照明制御部１２は、照明調整処理において、かご内センサ３からかご内照度情報を取得し、乗場センサ９から乗場照度情報を取得し、取得したかご内照度情報および乗場照度情報に基づいて、かご内照度および乗場照度を確認するように構成されている。さらに、照明制御部１２は、照明調整処理において、かご内照度と乗場照度とが同じになるように、乗場照明制御装置１４を制御することで乗場照明装置１５を調光するように構成されている。
【００５３】
このように照明制御部１２が構成されることで、乗場に照射される照射光の照度をかご内に照射される照射光の照度に近付けることができる。
【００５４】
以上、本実施の形態２によれば、エレベータの制御装置は、かご内照度情報および乗場照度情報を取得し、取得したかご内照度情報および乗場照度情報に基づいて、かご内照度および乗場照度を確認し、かご内照度と乗場照度とが同じになるように乗場照明装置を調光する照明調整処理を行うように構成されている。このようにエレベータの制御装置が構成された場合であっても、先の実施の形態１と同様の効果が得られる。
【符号の説明】
【００５５】
１  かご、２  かご内照明装置、３  かご内センサ、４  天井、５  かご壁、６  乗場、７  乗場操作盤、８  乗場戸、９  乗場センサ、１０  操作釦、１１  表示部、１２  照明制御部、１３  制御装置、１４  乗場照明制御装置、１５  乗場照明装置。
【図１】
2019159275.tif 000003
【図２】
2019159275.tif 000004
【図３】
2019159275.tif 000005
【図４】
2019159275.tif 000006
【図５】
2019159275.tif 000007
【図６】
2019159275.tif 000008
【手続補正書】
【提出日】令和2年2月17日(2020.2.17)
【手続補正１】
【補正対象書類名】明細書
【補正対象項目名】０００６
【補正方法】変更
【補正の内容】
【０００６】
本発明におけるエレベータの制御装置は、かご内照明装置からかご内に照射される照明光の照度であるかご内照度を確認するためのかご内照度情報を取得するかご内センサと、乗場照明装置から乗場に照射される照明光の照度である乗場照度を確認するための乗場照度情報を取得する乗場センサと、かご内センサからかご内照度情報を取得し、乗場センサから乗場照度情報を取得し、取得したかご内照度情報および乗場照度情報に基づいて、かご内照度および乗場照度を確認し、かご内照度と乗場照度とが同じになるようにかご内照明装置または乗場照明装置を調光する照明調整処理を行う照明制御部と、を備え、かご内センサは、かご内照明装置からかご内に照射される照明光の色度であるかご内色度を確認するためのかご内色度情報をさらに取得し、乗場センサは、乗場照明装置から乗場に照射される照明光の色度である乗場色度を確認するための乗場色度情報をさらに取得し、照明制御部は、照明調整処理において、かご内センサからかご内色度情報を取得し、乗場センサから乗場色度情報を取得し、取得したかご内色度情報および乗場色度情報に基づいて、かご内色度および乗場色度を確認し、かご内色度と乗場色度とが同じになるようにかご内照明装置を調色するものである。
【手続補正２】
【補正対象書類名】特許請求の範囲
【補正対象項目名】全文
【補正方法】変更
【補正の内容】
【特許請求の範囲】
【請求項１】
かご内照明装置からかご内に照射される照明光の照度であるかご内照度を確認するためのかご内照度情報を取得するかご内センサと、
乗場照明装置から乗場に照射される照明光の照度である乗場照度を確認するための乗場照度情報を取得する乗場センサと、
前記かご内センサから前記かご内照度情報を取得し、前記乗場センサから前記乗場照度情報を取得し、取得した前記かご内照度情報および前記乗場照度情報に基づいて、前記かご内照度および前記乗場照度を確認し、前記かご内照度と前記乗場照度とが同じになるように前記かご内照明装置または前記乗場照明装置を調光する照明調整処理を行う照明制御部と、
を備え、
前記かご内センサは、前記かご内照明装置から前記かご内に照射される前記照明光の色度であるかご内色度を確認するためのかご内色度情報をさらに取得し、
前記乗場センサは、前記乗場照明装置から前記乗場に照射される前記照明光の色度である乗場色度を確認するための乗場色度情報をさらに取得し、
前記照明制御部は、前記照明調整処理において、
前記かご内センサから前記かご内色度情報を取得し、前記乗場センサから前記乗場色度情報を取得し、取得した前記かご内色度情報および前記乗場色度情報に基づいて、前記かご内色度および前記乗場色度を確認し、前記かご内色度と前記乗場色度とが同じになるように前記かご内照明装置を調色する
エレベータの制御装置。
【請求項２】
前記照明制御部は、前記照明調整処理において、前記かご内照明装置を調光する
請求項１に記載のエレベータの制御装置。
【請求項３】
前記乗場照明装置は、乗場照明制御装置によって制御され、
前記照明制御部は、前記照明調整処理において、前記乗場照明制御装置を制御することで前記乗場照明装置を調光する
請求項１に記載のエレベータの制御装置。
【請求項４】
前記照明制御部は、前記エレベータが利用状態であることを条件として、前記照明調整処理を行う
請求項１から３のいずれか１項に記載のエレベータの制御装置。
【国際調査報告】
2019159275.tif 000009
2019159275.tif 000010
2019159275.tif 000011
2019159275.tif 000012